(57)【特許請求の範囲】
【請求項１】
便座又はロータンク側から便器の挿通孔に挿通したボルトの雄ねじ部に係合させる連結用クリップにおいて、
内周面に前記雄ねじ部と螺合する雌ねじを形成し、外周面にピンを突出しているとともに、離接可能に連結される少なくとも２つ以上の半筒状のナット片からなるナットと、
前記各ナット片の内側に配置されて、前記各ナット片の前記雌ねじを前記ボルトの雄ねじ部に螺合する係合位置から、前記各ナット片を互いに離間して前記螺合を解除する非係合位置の方向へ移動可能に付勢しておくための付勢手段と、
略筒状からなり、周面に設けられて前記ピンと摺動自在に係合するカム溝として、軸方向である上下へ延びる第１のカム溝及び該第１のカム溝の下端からラジアル方向へ延びる第２のカム溝を有し、筒内に挿入される前記ナットに対し前記ピンと前記第１のカム溝との係合を介して軸上方向へ移動されて前記付勢手段の付勢に抗して前記各ナット片を前記非係合位置から前記係合位置に切り換え、かつ、移動後に回転されて前記ピンが第１のカム溝の下端から前記第２のカム溝内に配置されることにより軸方向の移動が阻止されるケースとを備えていることを特徴とする連結用クリップ。
【発明の詳細な説明】
【０００１】
【発明の属する技術分野】
本発明は、例えばボルトを用いてロータンクや便座を便器に取り付けるとき等、ナットの代わりに用いることができる連結用クリップに関するものである。
【０００２】
【従来の技術】
今日、洋式便器にロータンクや、暖房、洗浄、乾燥等の種々の機能を備えた便座が使用されている。この種のロータンクや便座では、保守点検や清掃の際に簡単に取り外せることが要望されており、従来より特別な工具を用いずに簡単に取り付け・取り外しができるようにした技術も数多く提案されている。これは例えば実開昭５９−６４１００号等でも見ることができる。
【０００３】
図１１は従来における便器の一例を便座を取り付けた状態で示したもので、上記実開昭５９−６４１００号に開示された技術と同一のものである。
図１１に示すように、この便器１０２では、便座１０１を便器１０２へ取り付けるのに、便座１０１と便器１０２との間に連結具５０を使用している。
【０００４】
この連結具５０は、図１２及び図１３に詳細に示すように、ボルト５１の軸部５１ａを便座１０１のケース５３及び便器１０２のボルト挿通孔１０３に上方から挿入貫通させ、その挿入後のボルト軸部５１ａに下方からリング状ゴムパッキン５２とリング状押圧板６３を通した後、ナット５４を螺合する。また、ナット５４には、その両横腹部にボス５５が突設されており、その両側ボス５５に本締め具５６をナット５４で挟み込むようにして螺合させ、緊定させる構造になっている。その本締め具５６は、一端にカム面５６ａが形成されているとともに、他端には操作つまみ部５６ｂが形成されており、さらにカム面５６ａはボス部５５を嵌合したボス穴中心に対し、ａ＜ｃ＜ｂに寸法設定されている。
【０００５】
そして、この本締め具５６では、まず図１２に示すように、縦姿勢にしてナット５４を締め付け、カム面５６ａのａ寸法で押圧板６３を上方へ押しながらゴムパッキン５２を圧縮して行く。次に、図１２に示すように、本締め具５６を横方向に倒す。すると、ａ＜ｃ、すなわちａ寸法とｃ寸法の差であるｄ寸法だけ押圧板６３が上方へ押され、ゴムパッキン５２が便器１０２の下面に圧着されて、ケース１０３を便器１０２に強固に連結できる。したがって、この本締め具５６を用いた構造でも、便座１０１のケース５３を介して便座１０１を便器１０２に取り付けることができる。
【０００６】
【発明が解決しようとする課題】
しかしながら、上述した従来の連結具の構造では、便座を便器へ取り付ける際、まず本締め具５６が固定されているナット５４を回転させて所定の位置まで移動させた後、本締め具５６を回動させる最終締め付けを行う必要がある。一方、逆に取り外す際には最終締め付けを行った本締め具５６による締め付けを解除し、その後、本締め具５６が固定されているナット５４を回転させて所定の位置まで移動させ、このナット５４をボルト５１から外した後に、ケース５３と共に便座１０１を便器１０２より取り外す必要があるが、作業に時間がかかる。このため、保守点検や清掃の際に取り外し、及び取り付けが面倒であると言う問題点があった。
【０００７】
本発明は、上記問題点に鑑みてなされたものであり、その目的は狭い場所でも、工具を用いずに、簡単な作業で、しかも例えばロータンクや便座を便器に強固に連結させることができる連結用クリップを提供することにある。さらに、他の目的は、以下に説明する内容の中で順次明らかにして行く。
【０００８】
【課題を解決するための手段】
上記目的を達成するため本発明は、便座又はロータンク側から便器の挿通孔に挿通したボルトの雄ねじ部に係合させる連結用クリップにおいて、内周面に前記雄ねじ部と螺合する雌ねじを形成し、外周面にピンを突出しているとともに、離接可能に連結される少なくとも２つ以上の半筒状のナット片からなるナットと、前記各ナット片の内側に配置されて、前記各ナット片の前記雌ねじを前記ボルトの雄ねじ部に螺合する係合位置から、前記各ナット片を互いに離間して前記螺合を解除する非係合位置の方向へ移動可能に付勢しておくための付勢手段と、略筒状からなり、周面に設けられて前記ピンと摺動自在に係合するカム溝として、軸方向である上下へ延びる第１のカム溝及び該第１のカム溝の下端からラジアル方向へ延びる第２のカム溝を有し、筒内に挿入される前記ナットに対し前記ピンと前記第１のカム溝との係合を介して軸上方向へ移動されて前記付勢手段の付勢に抗して前記各ナット片を前記非係合位置から前記係合位置に切り換え、かつ、移動後に回転されて前記ピンが第１のカム溝の下端から前記第２のカム溝内に配置されることにより軸方向の移動が阻止されるケースとを備えていることを特徴としている。
【０００９】
これによれば、各ナット片が非係合位置に配置された状態で、このナット内にボルトを通し、所定の位置まで挿入されたらナットに対してケースを移動させると、各ナット片が非係合位置から係合位置に切り換えられる。そして、この切り換えでナットの雌ねじ部をボルトの雄ねじ部に係合（螺合）させて抜け止めし、これによってボルトとナット間の係合を簡単に行なうことが可能になる。
【００１０】
【発明の実施の形態】
以下、本発明の実施の形態を図面を用いて詳細に説明する。
図３は本発明の連結用クリップを用いて便座やロータンクを取り付けた便器の一例を示す側面図である。この形態例では、暖房、洗浄、乾燥等の種々の機能を備えた便座２を便器１に取り付けたり、水溜用のロータンクＴを便器１の支持部１Ａ上に取り付けるのに本発明の連結具３を使用している。この連結具３としてはロータンクＴ側の例で説明するが、便座２側であっても同じである。
【００１１】
連結具３は、図１及び図２に図３のＡ−Ａ線に沿う拡大断面図として示しているように、ボルト４と連結用クリップ８で構成されている。
【００１２】
さらに詳述すると、ボルト４は、頭部４ａと軸部４ｂとを有し、軸部４ｂには雄ねじ４ｃが刻設されている。ここで、ロータンクＴの底部５にはボルト４の軸部４ｂが通る取付孔６が設けられている。そして、ボルト４は、軸部４ｂを取付孔６に挿通してロータンクＴの底部５に組み込まれる。その後、ボルト４の軸部４ｂを便器１に一体に設けられた支持部１Ａのボルト挿通孔７に挿通する。また、こうしてボルト４が便器１側のボルト挿通孔７に挿通された状態では、軸部４ｂの下側先端が支持部１Ａの下側より突出された状態となる。
【００１３】
連結用クリップ８は、図４乃至図１０にもその詳細な構造が示されており、大きくは分割形成されたナット片２０Ａ，２０Ｂからなるナット２０と、このナット２０を保持するケース３０とで構成されている。ここで、図４はそのクリップの側面図、図５は図４のＢ−Ｂ線断面図、図６はそのクリップの側面図、図７は図６のＣ−Ｃ線断面図である。また、図８はケース単品を示し、同（ａ）は上面図、同（ｂ）は側面図、同（ｃ）は同（ａ）のＡ方向から見た側面図である。図９は一方のナット片を示し、同（ａ）は上面図、同（ｂ）は正面図、同（ｃ）は側面図である。図１０は他方のナット片を示し、同（ａ）は上面図、同（ｂ）は正面図、同（ｃ）は側面図である。
【００１４】
そこで、以下、図４乃至図１０も加えて連結用クリップ８の細部構造を説明する。まず、前記ナット２０は、縦割りされている第１のナット片２０Ａと第２のナット片２０Ｂと、この各ナット片２０Ａ，２０Ｂの内径側の距離を保持している弾性ばね材２０Ｃとで構成されている。
また、第１のナット片２０Ａと第２のナット片２０Ｂは、各々樹脂材で上側を除いて略左右対称に形成されており、内周面にはボルト４の雄ねじ４ｃと螺合可能な雌ねじ２１が略全面に渡って形成されているとともに、下端側には弾性ばね材２０Ｃを係合状態に保持する支持部２２が張り出し形成されている。一方、外周面には、下端側にピン２３が外側に向かって突出された状態にして一体に形成されている。
【００１５】
第１のナット片２０Ａ及び第２のナット片２０Ｂの上部側は、図９及び図１０に示す如く雌ねじ２１を形成している部分よりも径大に設けられて、互いに連結可能な半円弧状のフランジ部２４，２５を有し、また、フランジ部２４の端面に突出形成された一対の連結片２６を、フランジ部２５の端面に設けられた対応する嵌合孔２７に係合することにより連結される構造である。すなわち、連結片２６はフランジ部２４の両端面に突出され、その先端部に爪２６ａを形成している。これに対し、嵌合孔２７はフランジ部２５の両端面から後方へ貫通形成されている。そして、各ナット片２０Ａ，２０Ｂを連結する場合は、下部側に弾性ばね材２０Ｃが介在される一方、連結片２６が嵌合孔２７に差し込まれるとともに嵌合孔２７を貫通したときに爪２６ａにより抜け止めされる。この抜け止め構造では各ナット片２０Ａ，２０Ｂ間が連結片２６を介して接近することを許容する。
【００１６】
弾性ばね材２０Ｃは、金属製のばね材からなり、図７に示す如く概略Ｃ字状に形成されている。そして、この弾性ばね材２０Ｃは、ナット片２０Ａ，２０Ｂの各支持部２２に配置されて、外力を受けていないときにおけるナット片２０Ａ，２０Ｂ間の下内側（内径）寸法を保持し、外力を受けると内径が小さくなる方向に撓んで各ナット片２０Ａ，２０Ｂが内側に移動するのを許容し、外力が解かれると各ナット片２０Ａ，２０Ｂを外側に押し戻して内径を大きくすることができる構造になっている。すなわち、外力を受けていないときには各ナット片２０Ａ，２０Ｂで形成される雌ねじ２１の内径がボルト４の雄ねじ４ｃよりも十分大きい位置（以下、これを「非係合位置」と言う）に配置されている。これに対して、外力を受けると、弾性ばね材２０Ｃの切り欠き部分が狭まりながら各ナット片２０Ａ，２０Ｂで形成される雌ねじ２１の内径が小さくなり、その雌ねじ２１がボルト４の雄ねじ４ｃに適合し、雄ねじ４ｃと雌ねじ２１が螺合可能な位置（以下、これを「係合位置」と言う）に各ナット片２０Ａ，２０Ｂが配置可能になる。
【００１７】
ケース３０は、上下面が開口されている略筒状をした部材として樹脂材で成形されている。また、周面には各ナット片２０Ａ，２０Ｂのピン２３が摺動自在に係合されるカム溝３１が形成されている。このカム溝３１は、ピン２３と共にカム手段を構成しており、上下方向に向かって真っ直ぐ延びる第１のカム溝３１ａと、第１のカム溝３１ａの下端側から連続して回動方向（ラジアル方向）に向かって延びる第２のカム溝３１ｂとで形成されている。ケース３０の内周寸法は、上から下まで一様ではなく、上方の部分３２ａでは大きく、下方の部分３２ｂではこれよりも小さく形成されており、またその途中の部分３２ｃは傾斜面として形成されている。さらに、内周にあって、上端面側には図８（ａ）の如く押圧用の突起３３が対向して２箇所に形成されているとともに、上端面から下部側には図８（ａ），図７に示す如く位置決め用リブ３４が同じく対向して２箇所に形成されている。
そして、このケース３０内には、弾性ばね材２０Ｃを介して組み合わせれたナット片２０Ａ，２０Ｂが位置決め用リブ３４に沿って、またカム溝３１にピン２３を係合させつつ配置される。このようにナット２０をケース３０内に組み込むと、図４乃至図７に示すような連結用クリップ８が形成される。
【００１８】
また、このように形成された連結用クリップ８において、ケース３０内でのナット２０の位置を、図４乃至図６（図２も同じ）に示すようにピン２３が第１のカム溝３１ａの上端に移動されている状態に配置させると、ナット２０はケース３０の大径部分３２ａに配置された「非ロック態様」の状態となり、ナット２０の各ナット片２０Ａ，２０Ｂとの間は連結片２６で連結され、かつ弾性ばね材２０Ｃにより略最大に拡げられ、上記「非係合位置」に保持される。これに対して、ナット２０に対してケース３０を軸と沿う方向に動かしてピン２３を第１のカム溝３１ａの下端に配置させると、ナット２０の下端側がケース３０の小径部分３２ｂ側に移動された「ロック態様」の状態となり、ナット２０の各ナット片２０Ａ，２０Ｂとの間は弾性ばね材２０Ｃを撓ませながら狭められ、上記「係合位置」に保持される。この場合、各ナット片２０Ａ，２０Ｂの上部側は連結片２６を介して接近する。また、各ナット片２０Ａ，２０Ｂの背面にはケース３０に設けられた押圧用の突起３３がそれぞれ圧接しているので、前記係合はゆるむことなく、確実に保持される。
【００１９】
次に、このように構成された連結具３を用いて便器１にロータンクＴを取り付ける手順を説明する。
まず、ボルト４は、図１に示す如くロータンクＴ側から便器１側の支持部１Ａのボルト挿通孔７に挿通され、軸部４ｂの下側先端が支持部１Ａの下側より突出された状態にある。ここで、クリップ８を用意し、このクリップ８を上記「非ロック態様」にして、軸部４ｂをナット２０内に挿入させる。このとき、ナット２０の各ナット片２０Ａ，２０Ｂは「非係合位置」に保持されていて、各ナット片２０Ａ，２０Ｂの間は最大限に開いているので、軸部４ｂはナット２０内にスムースに入られて配置される。
【００２０】
また、ナット２０の上面が支持部１Ａの下面に当接されたら、ケース３０をさらに強く上方（支持部１Ａ側）に押し付ける。すると、ナット２０は図２に示す如く便器１の支持部１Ａに当たって動かないが、ケース３０はナット２０に対して滑り、ピン２３が第１のカム溝３１ａに案内されてその溝下端側まで移動される。このとき、前記突起３３が各ナット片２０Ａ，２０Ｂの背面に乗り上げる結果、各ナット片２０Ａ，２０Ｂは内側に押されてその雌ねじ２１がボルト４の雄ねじ４ｃに強固に係合する。同時に、このピン２３の移動でナット２０の下端がケース３０の小径部分３２ｂに配置されると、各ナット片２０Ａ，２０Ｂが上記「係合位置」に配置され、連結用クリップ８の全体が上記「ロック態様」になり、ナット２０の雌ねじ２１がボルト４の雄ねじ４ｃに螺合され、これによりロータンクＴと便器２との固定が完了する。そして、さらにケース３０を回転させてピン２３が第２のカム溝３１ｂ内に配置された状態にすると、ケース３０とナット２０との間が不用意に軸と沿う方向に移動するのを阻止することができる。
【００２１】
次に、便器１よりロータンクＴを取り外す場合は、ケース３０をナット２０に対して逆の操作、すなわちケース３０を逆回転しピン２３が第１のカム溝３１ａ内に位置させた後、ケース３０を下方向へ移動させると、ナット２０の各ナット片２０Ａ，２０Ｂ間は弾性ばね材２０Ｃの付勢力で広げられて「非係合位置」になる。したがって、ボルト４より連結クリップ８を簡単に外すことができる。
【００２２】
なお、上記実施の形態例において、第１と第２の、２つのナット片２０Ａ，２０Ｂは上部側が連結片２６と嵌合孔２７とで移動可能に連結した構成を示したが、このような連結片を特に設けなくとも差し支えないものである。また、以上の内容説明では図３のロータンクＴ側の例で説明したが、図３の便座２側の連結具３の場合も同じである。
【００２３】
【発明の効果】
以上説明したとおり、本発明によれば、各ナット片が非係合位置に配置された状態で、このナット内にボルトを通し、所定の位置まで挿入されたらナットに対してケースを移動させると各ナット片を非係合位置から係合位置に簡単に移動させ、ナットの雌ねじ部をボルトの雄ねじ部に係合（螺合）させて抜け止めし、これによりボルトとナット間の係合が簡単に図れる。すなわち、取り付け・取り外しの何れの作業も連続した一連の操作で簡単に行うことができることになり、作業性が向上する。また狭い場所でも工具を用いずに簡単に作業を行うことができる。
【図面の簡単な説明】
【図１】図３のＡ−Ａ線に沿う非係合位置での拡大断面図である。
【図２】図１に示す部分の係合位置での拡大断面図である。
【図３】本発明に係る連結用クリップの一実施の形態例として示す便器の側面図である。
【図４】本発明に係る連結用クリップを非ロック態様で示す側面図である。
【図５】図４のＢ−Ｂ線に沿う断面図である。
【図６】本発明に係る連結用クリップをロック態様で示す側面図である。
【図７】図６のＣ−Ｃ線に沿う断面図である。
【図８】前記連結用クリップのケース単品を示す図である。
【図９】前記連結用クリップのナットを構成している一方側ナット片を示す図である。
【図１０】前記連結用クリップのナットを構成している他方側ナット片を示す図である。
【図１１】従来における便器の一例を便座を取り付けた状態で示す側面図である。
【図１２】従来の連結具を締め付け固定前の状態で示す動作説明図である。
【図１３】従来の連結具を締め付け固定後の状態で示す動作説明図である。
【符号の説明】
１  便器
３  連結具
４  ボルト
４ｂ  軸部
４ｃ  雄ねじ
８  連結用クリップ
２０  ナット
２０Ａ，２０Ｂ  ナット片
２０Ｃ  弾性ばね材（付勢手段）
２１  雌ねじ
２３  ピン（カム手段）
３０  ケース
３１  カム溝（カム手段、３１ａ，３１ｂは第１と第２のカム溝）
Ｔ  ロータンク
【図１】
0003594380.tif 000002
【図２】
0003594380.tif 000003
【図３】
0003594380.tif 000004
【図４】
0003594380.tif 000005
【図５】
0003594380.tif 000006
【図６】
0003594380.tif 000007
【図７】
0003594380.tif 000008
【図８】
0003594380.tif 000009
【図９】
0003594380.tif 000010
【図１０】
0003594380.tif 000011
【図１１】
0003594380.tif 000012
【図１２】
0003594380.tif 000013
【図１３】
0003594380.tif 000014